(57)【特許請求の範囲】
【請求項１】
電解分析方法に用いられる電解分析装置に備えられ、電極を支持するための電極支持棒であって、
前記電極が固定される棒状の電極側部材と、
前記電極に電流を供給する電線が固定される棒状の電線側部材と、を備え、
前記電線側部材は、一端が前記電解分析装置の架台に形成された孔に嵌合可能であり、
前記電極側部材は、一端が前記電線側部材の一端と連結可能である
ことを特徴とする電解分析装置用の電極支持棒。
【請求項２】
前記電極側部材は、複数の小部材からなり、
前記小部材は、一端に雄ネジが形成され、他端に雌ネジが形成されており、
前記複数の小部材は、前記雄ネジと前記雌ネジが締結することで連結されている
ことを特徴とする請求項１記載の電解分析装置用の電極支持棒。
【請求項３】
前記小部材の雌ネジと締結し、前記電極を固定する電極固定用雄ネジを備え、
前記電線側部材の一端には、前記小部材の雄ネジと締結する雌ネジが形成されている
ことを特徴とする請求項２記載の電解分析装置用の電極支持棒。
【請求項４】
前記小部材の雄ネジと締結し、前記電極を固定する電極固定用雌ネジを備え、
前記電線側部材の一端には、前記小部材の雌ネジと締結する雄ネジが形成されている
ことを特徴とする請求項２記載の電解分析装置用の電極支持棒。
【請求項５】
電解分析方法に用いられる電解分析装置に備えられ、電極を支持するための電極支持棒であって、
前記電極が固定される棒状の電極側部材と、
前記電極に電流を供給する電線が固定される棒状の電線側部材と、を備え、
前記電極側部材は、固定小部材と、一または複数の交換小部材とからなり、
前記固定小部材は、一端が前記電線側部材の一端と連結可能であり、他端に雄ネジまたは雌ネジが形成されており、
前記交換小部材は、一端に雄ネジが形成され、他端に雌ネジが形成されており、
前記固定小部材および前記一または複数の交換小部材は、前記雄ネジと前記雌ネジが締結することで連結されており、
前記電線側部材は、前記固定小部材と連結することで前記電解分析装置の架台に固定される
ことを特徴とする電解分析装置用の電極支持棒。
【請求項６】
請求項１、２、３、４または５記載の電極支持棒を備える
ことを特徴とする電解分析装置。
【発明の詳細な説明】
【技術分野】
【０００１】
本発明は、電解分析装置用の電極支持棒および電解分析装置に関する。測定対象溶液の金属濃度を分析する電解分析方法には電解分析装置が用いられる。その電解分析装置用の電極支持棒、および電極支持棒を備える電解分析装置に関する。
【背景技術】
【０００２】
測定対象溶液の金属濃度を分析する方法として電解分析方法（ＪＩＳ  Ｈ１１０１）が知られている（例えば、特許文献１）。電解分析方法では、金属を含有する測定対象溶液を所定量ビーカに採取し、円筒状白金陰極と螺旋状白金陽極とを用いて含有金属を電解析出させ、析出した金属量から測定対象溶液の金属濃度を分析する。
【０００３】
一般に、電解分析方法に用いられる電解分析装置は、ビーカを載せるビーカ台と、電極を支持する電極支持部とを備えている。電極支持部には、電極と、電極に電流を供給する電線の端部とがネジ止めされている。電極支持部は支柱を有するスタンドに固定されており上下動可能となっている。電極支持部を上下動させることで、ビーカに電極を挿入抜去できるようになっている。
【先行技術文献】
【特許文献】
【０００４】
【特許文献１】特開昭５８−１０２１４５号公報
【発明の概要】
【発明が解決しようとする課題】
【０００５】
電解分析方法では陰極に電着した金属量を測定するため、電解が終了するたびに電極を付け換える必要がある。電極の付け換えの際には電極固定用のネジを緩めたり締めたりするので、分析を繰り返すとネジ山やネジ孔が摩耗してくる。このような場合には電極支持部を新しいものに交換する必要がある。この交換作業は、電極および電線の取り外し、電極支持部の付け換え、電極および電線の取り付けの順に行われる。このうち、特に電線の取り付け取り外しは、電気工事士の資格を有する専門の作業員が作業する必要があるため、その作業員との日程調整が必要であり、交換作業に時間がかかるという問題がある。
【０００６】
本発明は上記事情に鑑み、交換作業を短時間で行うことができ、かつ、長寿命である電解分析装置用の電極支持棒および電解分析装置を提供することを目的とする。
【課題を解決するための手段】
【０００７】
第１発明の電解分析装置用の電極支持棒は、電解分析方法に用いられる電解分析装置に備えられ、電極を支持するための電極支持棒であって、前記電極が固定される棒状の電極側部材と、前記電極に電流を供給する電線が固定される棒状の電線側部材と、を備え、前記電線側部材は、一端が前記電解分析装置の架台に形成された孔に嵌合可能であり、前記電極側部材は、一端が前記電線側部材の一端と連結可能であることを特徴とする。
第２発明の電解分析装置用の電極支持棒は、第１発明において、前記電極側部材は、複数の小部材からなり、前記小部材は、一端に雄ネジが形成され、他端に雌ネジが形成されており、前記複数の小部材は、前記雄ネジと前記雌ネジが締結することで連結されていることを特徴とする。
第３発明の電解分析装置用の電極支持棒は、第２発明において、前記小部材の雌ネジと締結し、前記電極を固定する電極固定用雄ネジを備え、前記電線側部材の一端には、前記小部材の雄ネジと締結する雌ネジが形成されていることを特徴とする。
第４発明の電解分析装置用の電極支持棒は、第２発明において、前記小部材の雄ネジと締結し、前記電極を固定する電極固定用雌ネジを備え、前記電線側部材の一端には、前記小部材の雌ネジと締結する雄ネジが形成されていることを特徴とする。
第５発明の電解分析装置用の電極支持棒は、電解分析方法に用いられる電解分析装置に備えられ、電極を支持するための電極支持棒であって、前記電極が固定される棒状の電極側部材と、前記電極に電流を供給する電線が固定される棒状の電線側部材と、を備え、前記電極側部材は、固定小部材と、一または複数の交換小部材とからなり、前記固定小部材は、一端が前記電線側部材の一端と連結可能であり、他端に雄ネジまたは雌ネジが形成されており、前記交換小部材は、一端に雄ネジが形成され、他端に雌ネジが形成されており、前記固定小部材および前記一または複数の交換小部材は、前記雄ネジと前記雌ネジが締結することで連結されており、前記電線側部材は、前記固定小部材と連結することで前記電解分析装置の架台に固定されることを特徴とする。
第６発明の電解分析装置は、第１、第２、第３、第４または第５発明の電極支持棒を備えることを特徴とする。
【発明の効果】
【０００８】
第１発明によれば、電極支持棒が電極側部材と電線側部材の２つの部材からなるので、電極の固定部分が摩耗した場合には電極側部材のみを交換すればよい。そのため、電線の取り付け取り外しを行う必要がなく、交換作業を短時間で行うことができる。
第２から第４発明によれば、電極側部材が複数の小部材からなるので、小部材の順序を入れ換えることで電極の固定部分を新しくできる。そのため、電極の固定部分が摩耗した場合には小部材の順序を入れ換えるだけでよく、電極支持棒の寿命を長くできる。
第５発明によれば、固定小部材が電線側部材と連結することで電線側部材を架台に固定できるので、交換作業の際に電線側部材が脱落することを防止できる。
第６発明によれば、電極支持棒の交換作業を短時間で行うことができるので、電解分析装置を使用できない時間が短く、効率よく分析が行える。
【図面の簡単な説明】
【０００９】
【図１】本発明の第１実施形態に係る電解分析装置の正面図である。
【図２】同電解分析装置の平面図である。
【図３】同電解分析装置の電解部の正面図である。
【図４】同電解分析装置の電解部の平面図である。
【図５】同電解分析装置の電極支持棒の分解図である。
【図６】第２実施形態に係る電極支持棒の分解図である。
【図７】第３実施形態に係る電極支持棒の分解図である。
【発明を実施するための形態】
【００１０】
つぎに、本発明の実施形態を図面に基づき説明する。
〔第１実施形態〕
（電解分析装置）
図１および図２に示すように、本発明の第１実施形態に係る電解分析装置Ａは、１つの架台１０に３つの電解部２０が設けられた構成である。架台１０は、板状の壁部１１と、壁部１１に設けられた足部１２とからなる。壁部１１は足部１２により鉛直に立設されている。なお、電解部２０の数は特に限定されず、１つでもよいし、２つ以上の複数でもよい。
【００１１】
つぎに、電解部２０の詳細を説明する。
図３および図４に示すように、電解部２０は、ビーカｂが載せられるビーカ台３０と、ビーカ台３０を支持するビーカ台支持棒４０と、電極（陽極ａおよび陰極ｃ）を支持する一対の電極支持棒５０、５０とからなる。
【００１２】
ビーカ台支持棒４０は丸棒部材であり、その両端には基部４１、４１が設けられている。これら基部４１、４１が壁部１１の前面に上下に固定されている。そのため、ビーカ台支持棒４０は壁部１１の前面に固定されており、壁部１１と所定距離離間して並行に鉛直方向に沿って設けられている。
【００１３】
ビーカ台３０は、略円盤状の部材であり水平に設けられている。ビーカ台３０の上面は若干凹んでおり、その凹部にビーカｂが載せられる。また、ビーカ台３０の側面にはアーム３１が設けられている。アーム３１の先端部には孔が形成されており、この孔にビーカ台支持棒４０が通されている。アーム３１の孔の直径はビーカ台支持棒４０の直径よりも若干大きく形成されており、互いに摺動可能となっている。そのため、ビーカ台３０はビーカ台支持棒４０に沿って上下動可能であり、かつ、ビーカ台支持棒４０を軸として水平面内で旋回可能となっている。
【００１４】
アーム３１の先端部には側面から前記孔に通ずるネジ孔が形成されており、そのネジ孔に蝶ボルト３２がねじ込まれている。蝶ボルト３２をねじ込むとボルト先端がビーカ台支持棒４０に押し付けられ、アーム３１がビーカ台支持棒４０に固定される。そのため、蝶ボルト３２を緩めるとビーカ台３０を上下動および旋回させることができ、蝶ボルト３２を締めるとビーカ台３０を任意の上下位置、旋回角度とした状態で固定することができる。
【００１５】
（電極支持棒）
つぎに、電極支持棒５０を説明する。
電極支持棒５０には電極（陽極ａおよび陰極ｃ）が支持される。陽極ａは、白金の線材の一部を螺旋状に形成した螺旋状白金陽極であり、螺旋部とそれに続く直線状の導線部とからなる。陰極ｃは、穴あきの白金板を円筒状に形成した円筒状白金陽極であり、円筒部とそれに接続された導線部とからなる。
【００１６】
電極支持棒５０は、導電性を有する素材、例えばステンレス鋼で形成された棒状部材である。電極支持棒５０は、壁部１１に対して垂直に、かつ、壁部１１を貫通して固定されている。すなわち、電極支持棒５０の一端は壁部１１の前面側に他端は背面側に配置されている。また、２本の電極支持棒５０、５０は、所定間隔離間して水平面内で並行に設けられている。
【００１７】
電極支持棒５０の前面側端部には電極ａ、ｃが固定されている。一方の電極支持棒５０に陽極ａが固定され、他方の電極支持棒５０に陰極ｃが固定される。そして、陰極ｃの円筒部の略中心に陽極ａの螺旋部が挿入される。換言すれば、２本の電極支持棒５０、５０の間隔は、陰極ｃの円筒部の略中心に陽極ａの螺旋部が挿入されるように設定されている。
【００１８】
電極支持棒５０の背面側端部には電線ｗの端部が固定されている。電極支持棒５０は導電性を有する素材で形成されているため、電線ｗと電極ａ、ｃとは電極支持棒５０を介して導通している。また、２本の電極支持棒５０、５０のそれぞれに電線ｗが固定されており、これら２本の電線ｗは図示しない電源に接続されている。そのため、電線ｗを通じて電極ａ、ｃに電流を供給することができる。
【００１９】
ビーカ台支持棒４０および電極支持棒５０は、ビーカ台３０を上下動させることでビーカｂに電極ａ、ｃを挿入抜去できるように配置されている。具体的には、２本の電極支持棒５０、５０は、ビーカ台支持棒４０の上端部の近傍に横並びに設けられている。
【００２０】
図５に示すように、電極支持棒５０は長手方向に複数の部材に分割された構造である。電極支持棒５０を構成する部材のうち、壁部１１の前面側に設けられ電極ａ、ｃが固定される棒状部材を電極側部材５１と称し、壁部１１の背面側に設けられ電線ｗが固定される棒状部材を電線側部材５２と称する。電極側部材５１はさらに２つの小部材５３、５４に分割されている。これら電極側部材５１、および電線側部材５２を構成する小部材５３、５４は、直径が等しい丸棒部材である。
【００２１】
電線側部材５２の一方の端部には、その他の部分よりも径が細い小径部５２ａが形成されている。この小径部５２ａは、その直径が壁部１１に形成された孔１３の直径と略同寸法であり、孔１３に嵌合可能となっている。小径部５２ａを孔１３に嵌合させることで、電線側部材５２を壁部１１に保持できる。小径部５２ａの長さは壁部１１の厚みと略同寸法である。そのため、小径部５２ａを孔１３に嵌め込むと電線側部材５２の端面が壁部１１の前面と略面一となる。また、この端部には中心軸に沿って雌ネジ５２ｂが形成されている。
【００２２】
電線側部材５２の他方の端部には、中心軸に沿って雌ネジ５２ｃが形成されている。この雌ネジ５２ｃに電線固定用ボルト５５がねじ込まれている。電線ｗの端部に設けられた丸形端子を電線固定用ボルト５５に通し、電線固定用ボルト５５を雌ネジ５２ｃにねじ込むことで電線側部材５２に電線ｗが固定される。
【００２３】
電極側部材５１を構成する２つの小部材５３、５４は同一形状の部材である。小部材５３は、一端に雄ネジ５３ａが形成され、他端に雌ネジ５３ｂが形成されている。雄ネジ５３ａおよび雌ネジ５３ｂは、小部材５３の中心軸に沿って設けられている。小部材５４も同様に、一端に雄ネジ５４ａが形成され、他端に雌ネジ５４ｂが形成されている。２つの小部材５３、５４は、一方の小部材５３の雌ネジ５３ｂと他方の小部材５４の雄ネジ５４ａが締結することで連結されている。
【００２４】
壁部１１側に配置された小部材５３は、その雄ネジ５３ａと電線側部材５２の雌ネジ５２ｂとが締結することで、電線側部材５２と連結されている。これにより、電極側部材５１と電線側部材５２とが連結され、また、電極支持棒５０が壁部１１に固定されている。
【００２５】
なお、小部材５３、５４の側面には中心軸を挟んで対向する位置に一対の凹部５３ｃ、５４ｃが形成されている。この凹部５３ｃ、５４ｃにスパナ等の工具を嵌めることで小部材５３、５４を中心軸周りに回転させることできる。そのため、工具を用いて、２つの小部材５３、５４の連結、解除、および小部材５３と電線側部材５２の連結、解除を行うことができる。
【００２６】
自由端側に配置された小部材５４の雌ネジ５４ｂには、電極固定用の蝶ボルト５６がねじ込まれている。蝶ボルト５６にワッシャ５７を通し、ワッシャ５７と小部材５４の端面との間に電極ａ、ｃの導線部を挟み、蝶ボルト５６を雌ネジ５４ｂにねじ込むことで電極ａ、ｃが固定される。なお、蝶ボルト５６は特許請求の範囲に記載の「電極固定用雄ネジ」に相当する。蝶ボルト５６に代えて他の雄ネジを用いてもよい。ただし、後述のごとく電極固定用のネジは頻繁に緩めたり締めたりするので、手で締めることが可能な蝶ボルトを用いることが好ましい。
【００２７】
（電解分析方法）
つぎに、電解分析装置Ａを用いた電解分析方法の手順を説明する。
（１）まず、所定容量のビーカｂに所定量の測定対象溶液を採取し、そのビーカｂをビーカ台３０に載せる。この際、ビーカ台３０は、下降させ、電極支持棒５０とは反対側に旋回させておく。
【００２８】
（２）つぎに、各電極支持棒５０に電極ａ、ｃを固定する。なお、通常、電線ｗは電極支持棒５０に常に固定されており、取り付け取り外しの操作は必要ない。また、上記（１）と（２）の操作は順番を逆にしてもよい。
【００２９】
（３）つぎに、ビーカ台３０を電極ａ、ｃ側に旋回させ、電極ａ、ｃの下方にビーカｂを配置する。そして、ビーカ台３０を上昇させ、ビーカｂ内の測定対象溶液に電極ａ、ｃを浸漬する。図３に示すように、ビーカｂと電極ａ、ｃの位置関係を整えた後、アーム３１に設けられた蝶ボルト３２を締めてビーカ台３０を固定する。
【００３０】
（４）ビーカｂの開口部を時計皿で覆い、電極ａ、ｃ間に通電して測定対象溶液を電解する。電解により測定対象溶液に含まれる金属が陰極ｃに電着する。通電時間は、測定対象溶液に含まれる金属が実質的に全て電着するのに十分な時間とする。
【００３１】
（５）電解の終了後、上記（１）〜（３）の手順を逆に行い電極ａ、ｃを取り外す。陰極ｃを洗浄、乾燥した後、重量を測定する。そして、電解前後の陰極ｃの重量増加分から電着した金属量を求め、金属量から測定対象溶液の金属濃度を求める。
【００３２】
以上のように、電解分析方法では陰極ｃに電着した金属量を測定するため、電解が終了するたびに電極ａ、ｃを付け換える必要がある。電極ａ、ｃの付け換えの際には電極固定用の蝶ボルト５６を緩めたり締めたりするので、分析を繰り返すと電極ａ、ｃの固定部分、特に小部材５４の雌ネジ５４ｂや蝶ボルト５６が摩耗してくる。このような場合には以下に説明する電極支持棒交換作業を行う。
【００３３】
（電極支持棒交換作業）
（１）まず、図５に示すように、蝶ボルト５６を取り外す。また、２つの小部材５３、５４の連結を解除するとともに、小部材５３と電線側部材５２の連結を解除する。ここで、電線側部材５２は小径部５２ａが孔１３に嵌合しているので、小部材５３との連結が解除されても壁部１１に保持されたままである。そのため、電線ｗの取り外しを行う必要がない。
【００３４】
（２）つぎに、小部材５３、５４の順序を入れ換える。具体的には壁部１１側に配置されていた小部材５３を自由端側に配置し、自由端側に配置されていた小部材５４を壁部１１側に配置する。そして、再び２つの小部材５３、５４を連結するとともに、小部材５４と電線側部材５２とを連結する。なお、新たに壁部１１側に配置された小部材５４の雌ネジ５４ｂは摩耗しているが、小部材５３の雄ネジ５３ａと強めに締結することで、問題なく電極ａ、ｃを支持できる。
【００３５】
（３）最後に、新たに自由端側に配置された小部材５３の雌ネジ５３ｂに、蝶ボルト５６を締結する。なお、蝶ボルト５６が摩耗している場合には、これを新しいものに交換する。
【００３６】
小部材５３の雌ネジ５３ｂは、交換作業前は小部材５４の雄ネジ５４ａと締結されており、締結の解除が行われることがないため、摩耗していない状態である。そのため、小部材５３、５４の順序を入れ換えることで電極ａ、ｃの固定部分、すなわち蝶ボルト５６と締結する雌ネジ５３ｂを新しくでき、電極ａ、ｃを確実に固定することができる。
【００３７】
以上のように、電極ａ、ｃの固定部分が摩耗した場合には小部材５３、５４の順序を入れ換えるだけでよく、新しいものに交換する必要がない。すなわち、電極支持棒５０の寿命を長くできる。また、特に作業時間を要する電線ｗの取り付け取り外しを行う必要がないため、交換作業を短時間で行うことができる。電極支持棒５０の交換作業を短時間で行うことができるので、電解分析装置Ａを使用できない時間が短く、効率よく分析が行える。
【００３８】
上記交換作業の後、さらに電解を繰り返して小部材５３の雌ネジ５３ｂが摩耗した場合には、電極側部材５１の全体を交換する。この場合にも、電線側部材５２は壁部１１に保持したままとし、電線ｗの取り付け取り外しを行う必要がないので、交換作業を短時間で行うことができる。
【００３９】
なお、電極側部材５１を構成する小部材５３、５４の数は２つに限定されず、３つ以上でもよい。ただし、小部材の数が多すぎると、小部材が小さな部品となり、交換作業時に取り扱いが難しくなる。また、連結箇所が多くなるため電極側部材５１の直線性が悪くなり、陽極ａと陰極ｃとを適正な距離を離して配置できなくなる可能性がある。そのため、例えば、電極側部材５１の長さが約180mmの場合には、小部材の数を５つ以下にすることが好ましい。
【００４０】
また、電極側部材５１を小部材に分割せず、単一の部材としてもよい。この場合、電極支持棒交換作業は、電極側部材５１を新しいものに交換することで行われる。この場合でも、電極側部材５１のみを交換すればよいため、電線ｗの取り付け取り外しを行う必要がなく、交換作業を短時間で行うことができる。
【００４１】
〔第２実施形態〕
図６に示すように、本発明の第２実施形態に係る電極支持棒５０′は、第１実施形態に係る電極支持棒５０において、電線側部材５２に雌ネジ５２ｂ、５２ｃに代えて雄ネジ５２ｄ、５２ｅが形成された形態である。
【００４２】
電線側部材５２の一方の端部（小径部５２ａとは逆側の端部）に形成された雄ネジ５２ｅには、電線固定用ナット５８がねじ込まれている。電線ｗの端部に設けられた丸形端子を雄ネジ５２ｅに通し、電線固定用ナット５８を雄ネジ５２ｅにねじ込むことで電線側部材５２に電線ｗが固定される。
【００４３】
電極側部材５１を構成する２つの小部材５３、５４は、第１実施形態と同一形状であるが、第１実施形態とは向きを逆にして配置されている。すなわち、雄ネジ５３ａ、５４ａを自由端側に向け、雌ネジ５３ｂ、５４ｂを壁部１１側に向けて配置されている。
【００４４】
壁部１１側に配置された小部材５３は、その雌ネジ５３ｂと電線側部材５２の雄ネジ５２ｄとが締結することで、電線側部材５２と連結されている。これにより、電極側部材５１と電線側部材５２とが連結され、また、電極支持棒５０が壁部１１に固定されている。
【００４５】
自由端側に配置された小部材５４の雄ネジ５４ａには、電極固定用ナット５９がねじ込まれている。雄ネジ５４ａにワッシャ５７を通し、ワッシャ５７と小部材５４の端面との間に電極ａ、ｃの導線部を挟み、電極固定用ナット５９を雄ネジ５４ａにねじ込むことで電極ａ、ｃが固定される。なお、電極固定用ナット５９は特許請求の範囲に記載の「電極固定用雌ネジ」に相当する。
【００４６】
本実施形態の電極支持棒５０′においても、第１実施形態の電極支持棒５０と同様の効果を奏することができる。すなわち、電極支持棒交換作業を短時間で行うことができ、かつ、電極支持棒５０′の寿命を長くできる。
【００４７】
〔第３実施形態〕
図７に示すように、本発明の第３実施形態に係る電極支持棒５０″は、第１実施形態に係る電極支持棒５０において、壁部１１側に配置された小部材５３に雌ネジ５３ｂに代えて雄ネジ５３ｄが形成された形態である。すなわち、小部材５３の両端に雄ネジ５３ａ、５３ｃが形成されている。この小部材５３を固定小部材５３と称する。また、一端に雄ネジ５４ａが形成され、他端に雌ネジ５４ｂが形成された小部材５４を交換小部材５４と称する。
【００４８】
固定小部材５３と交換小部材５４とは、固定小部材５３の雄ネジ５３ａと交換小部材５４の雌ネジ５４ｂが締結することで連結されている。また、固定小部材５３は、壁部１１側に配置され、その雄ネジ５３ｄと電線側部材５２の雌ネジ５２ｂとが締結することで、電線側部材５２と連結されている。これにより、電極側部材５１と電線側部材５２とが連結され、また、電極支持棒５０が壁部１１に固定されている。
【００４９】
自由端側に配置された交換小部材５４の雄ネジ５４ａには、電極固定用ナット５９がねじ込まれている。雄ネジ５４ａにワッシャ５７を通し、ワッシャ５７と小部材５４の端面との間に電極ａ、ｃの導線部を挟み、電極固定用ナット５９を雄ネジ５４ａにねじ込むことで電極ａ、ｃが固定される。
【００５０】
本実施形態では、電極支持棒交換作業において、交換小部材５４のみを新しいものに交換する。すなわち、固定小部材５３は電線側部材５２と連結したままとする。固定小部材５３が電線側部材５２と連結することで電線側部材５２を壁部１１に固定できるので、交換作業の際に電線側部材５２が脱落することを防止できる。
【００５１】
なお、電線側部材５２と固定小部材５３との連結部分は上記形態に限定されない。例えば、電線側部材５２の端部の雄ネジと固定小部材５３の端部の雌ネジとが締結する形態でもよい。電線側部材５２は小径部５２ａのない形状、すなわち壁部１１の孔１３に嵌合しない形状でもよい。電極支持棒交換作業において、固定小部材５３は電線側部材５２と連結したままであり、この連結により電線側部材５２が壁部１１に固定されているので、電線側部材５２を孔１３との嵌合により保持する必要がないからである。
【００５２】
固定小部材５３の端部のうち交換小部材５４と連結する方の端部は、雄ネジ５３ａに代えて雌ネジにしてもよい。この場合、交換小部材５４は雄ネジ５４ａを壁部１１側に向けて配置され、固定小部材５３と連結される。
【００５３】
電極支持棒５０″を一の固定小部材５３と複数の交換小部材５４とからなる構成としてもよい。このようにすれば、交換小部材５４の順序を入れ換えることで電極ａ、ｃの固定部分を新しくでき、電極ａ、ｃを確実に固定することができる。
【実施例】
【００５４】
つぎに、実施例を説明する。
（共通の条件）
下記の実施例１および比較例１ともに、以下の条件で電解を行った。
電極：ＪＩＳ  Ｈ１１０１に規定された円筒状白金陰極および螺旋状白金陽極
電極間距離：20mm
測定対象溶液：硫酸ニッケル5g、アンモニア80ml、硝酸10ml、水150mlの混合液
ビーカ：容量300mlのパイレックス（登録商標）製ビーカ
電源：100V、0.2A
【００５５】
（実施例１）
上記第１実施形態の電極支持棒５０において、小部材の数を３つにしたものを用いた。電極支持棒５０の素材はステンレス鋼（ＳＵＳ３０６Ｌ）とした。上記共通の条件の下
３００件のサンプルの分析を行った。
【００５６】
約１００件分析を繰り返すと電極固定用の蝶ボルト５６が緩み始めたので、電極支持棒交換作業を行った。その結果、電極間距離や分析結果には影響がなく、分析作業を続けることができた。電極支持棒交換作業により小部材の順序を入れ換える作業を２回行った。この２回の交換作業に要した時間は合計１０時間であった。なお、交換作業は小部材の順序を入れ換えたのみであり、電線の取り付け取り外しを行う必要はなかった。
【００５７】
（比較例１）
従来の電解分析装置を用いて、上記共通の条件の下３００件のサンプルの分析を行った。約１００件ごとに電極の固定部分が摩耗したので、電極支持部を新しいものに交換する作業を２回行った。この２回の交換作業に要した時間は合計１５時間であった。なお、交換作業は、毎回電線の取り付け取り外しを行う必要があった。電線の取り付け取り外しは、電気工事士の資格を有する専門の作業員が作業する必要がある。そのため、その作業員との日程調整が必要であり、１回の交換作業が完了するまでに１日を要する場合もある。
【００５８】
以上より、実施例１は比較例１に比べて、交換作業に要する時間を約２／３に削減できることが確認できた。また、電極支持棒５０の寿命を従来の電極支持部の３倍にできることが確認できた。
【符号の説明】
【００５９】
Ａ    電解分析装置
１０  架台
１１  壁部
２０  電解部
３０  ビーカ台
４０  ビーカ台支持棒
５０  電極支持棒
５１  電極側部材
５２  電線側部材
５３、５４  小部材
５５  電線固定用ボルト
５６  蝶ボルト
【図１】
0006264235.tif 000002
【図２】
0006264235.tif 000003
【図３】
0006264235.tif 000004
【図４】
0006264235.tif 000005
【図５】
0006264235.tif 000006
【図６】
0006264235.tif 000007
【図７】
0006264235.tif 000008